(57)【要約】【課題】  落下防止用のストラップを備えかつ見栄えのよいクリップ付き帽子を提供する。【解決手段】  一端に係止具５を有するストラップ４の他端を、帽子１のクラウン部２の腰部に縫い付け、さらに係止具を係止するための保持部６を腰部の反対側に縫い付けてあり、係止具５を衣類の襟に挟んで飛散防止に使用し、飛散防止用に使用しない場合には、係止具５を保持部６にて係止することにより、ストラップ４がクラウン部２の腰部周囲に巻回されて、リボン状の装飾となり見栄えの良い帽子１となる。【選択図】              図１
0003111195.tif 000002
【実用新案登録請求の範囲】
【請求項１】
一端に係止具が取り付けられたストラップを有し、
該ストラップの他端が当該帽子に取り付けられていることを特徴とするクリップ付き帽子。
【請求項２】
当該帽子の外周面の所定位置に、係止具を係止するための保持部が設けられていることを特徴とする請求項１に記載のクリップ付き帽子。
【請求項３】
当該帽子は、頭を覆うためのクラウン部と、該クラウン部の下端に設けられた庇部とより構成され、
前記係止具が取り付けられた前記ストラップの他端部および前記保持部が、前記クラウン部と庇部とのあわせ部である腰部に位置していることを特徴とする請求項３に記載のクリップ付き帽子。
【請求項４】
前記係止具が取り付けられた前記ストラップの他端部および前記保持部の設置位置が、それぞれクラウン部の反対側腰部であることを特徴とする請求項２または３に記載のクリップ付き帽子。
【考案の詳細な説明】
【技術分野】
【０００１】
本発明は、強風などによって飛ばされることを防ぎ、かつ装飾となる帽子のストラップに関する。
【背景技術】
【０００２】
従来、強風によって帽子が脱げて吹き飛ばされたり、下を向いたときなど帽子が脱げて落下するといったことがあった。
これを防ぐため、両端にクリップがついたストラップを用いて、帽子の、例えば庇部と服の襟とをクリップによってそれぞれ挟み、服と帽子とをストラップでつなぐものが存した。あるいはクラウン部内に一端を固定したテープの先端にクリップを有するものがある。
これにより、帽子が脱げ落ちた場合にも服に帽子がぶら下がった状態となり、帽子が吹き飛ばされるのを防ぐことができた。
【特許文献１】特開２００２−２０９１８
【特許文献２】実用登録３０６３４９０
【考案の開示】
【考案が解決しようとする課題】
【０００３】
しかしながら、従来の方式のものは、クリップの付いたストラップを常時持ち歩かねばならず、紛失したり、収納場所に困るなど、わずらわしいといった問題があった。あるいは従来のクラウン部に内蔵させたものは、帽子の係止が不要な場合に、クリップが頭にあたり不体裁であった。
【課題を解決するための手段】
【０００４】
本考案はこのような問題点に鑑み、帽子保持用のストラップが帽子に取り付けられ、かつそのストラップが装飾として使用できる見栄えのよい帽子を提供することを目的とする。
そのため本考案は、クリップ等の係止具が取り付けられたストラップの一端を当該帽子に取り付け、他端を衣類の衿などに固定して風に吹き飛ばされないために使用できるものとするとともに、他端をクラウン部の腰部の反対側に設けたループ状等とした保持部に固定できるようにして装飾リボンとして使用できるようにした。
【考案の効果】
【０００５】
本考案によれば、ストラップ４の一端を帽子１に取り付けておくことにより、ストラップ４を帽子１と個別に持ち歩く必要がなく、使用したいときに係止具５を保持部６から外して衣類の襟１０等を挟むだけでよいので、使用者を煩わせることなく、帽子１の脱げ落ち、および飛ばされるのを防止することができる。
また、ストラップ４に装飾リボンを使用することで、飛散防止用にストラップ４を使用しない場合には、係止具５をクラウン部２の下端腰部の周囲に巻回して保持具６に係止することで、ストラップ４がリボン状の装飾となり見栄えの良い帽子１を提供することができる。
【考案を実施するための最良の形態】
【０００６】
次に本考案の実施の形態を実施例により説明する。
図１に、本発明の実施例の全体構成を示し、図２に、ストラップの取り付け構造を示す。
頭を覆うクラウン部２と、該クラウン部２の下端に設けられた庇部３とより帽子１が構成される。
クラウン部２は、頭の周囲を囲う円筒形状の円筒部２ａと、頭の頭頂部を覆う天蓋部２ｂとより構成される。
庇部３は、クラウン部２の下端腰部の全周にわたって縫いつけられている。
【０００７】
さらに、図２に示すように、円筒部２ａと庇部３の縫い合わせと同時に、先端にクリップなどの係止具５が取り付けられているストラップ４の他端が縫い込まれている。
さらにクラウン部２の径方向反対側の腰部には、短いストラップで作ったループを、円筒部２ａと庇部３とのあわせ部に縫い込んだ係止具５のためのループ状の保持部６が設けられている。
係止具５によって保持部６を挟むことによって、ストラップ４がクラウン部２の腰部の周囲に巻回される。
【０００８】
したがって、ループ状の保持部６が設けられる位置は、図１に示すように係止具５が保持部６を挟んで保持された状態で、ストラップ４がクラウン部２の腰周りに位置するように、係止具５の取り付け位置と保持部６の設置位置が、それぞれクラウン部の反対側腰部となっている。
ストラップ４は、模様を有する装飾布を用いることで飾りとすることができる。
【０００９】
図３に、強風時等における帽子１の着用状態を示す。
強風等により帽子１が吹き飛ばされる可能性がある場合、クリップ状の係止具５を衣類の襟１０に挟んだ状態で帽子１を着用して、帽子１と衣類とをつないでおく。これにより帽子１が飛ばされそうな場合でも帽子の飛散を防止することができる。
また強風時でない場合など、帽子１の落下の恐れがない場合には、図１に示すように係止具５を保持部６に挟んだ状態で着用することにより、ストラップ４がクラウン部２の腰回りにすっきりと収納され、かつ装飾リボンとすることができる。
【００１０】
なお、本実施例においては、クラウン部２と庇部３とより構成される帽子１に飛散防止用のストラップ４を取り付けるものとしたが、帽子の形状はこれに限定されず、他の形状の帽子であってもよい。
また、係止具５は、クリップに限らず、その他の面テープ、スナップ、ボタン等の着脱具でもよく、さらに保持部６についてもループ状に限らず他の形状であってもよい。
【図面の簡単な説明】
【００１１】
【図１】本実施例の全体構成を示す図である。
【図２】ストラップの取り付け構造を示す図である。
【図３】強風時等における帽子の着用状態を示す図である。
【符号の説明】
【００１２】
１      帽子
２      クラウン部
２ａ    円筒部
２ｂ    天蓋部
３      庇部
４      ストラップ
５      係止具
６      保持部
１０    襟
【図１】
0003111195.tif 000003
【図２】
0003111195.tif 000004
【図３】
0003111195.tif 000005
【手続補正書】
【提出日】平成17年3月30日(2005.3.30)
【手続補正１】
【補正対象書類名】実用新案登録請求の範囲
【補正対象項目名】請求項３
【補正方法】変更
【補正の内容】
【請求項３】
当該帽子は、頭を覆うためのクラウン部と、該クラウン部の下端に設けられた庇部とより構成され、
前記係止具が取り付けられた前記ストラップの他端部および前記保持部が、前記クラウン部と庇部とのあわせ部である腰部に位置していることを特徴とする請求項２に記載のクリップ付き帽子。